(57)【要約】【課題】データ量を可及的に少なくしつつユーザの意思を反映させたアルバムファイルを作成し、あるいは観賞性のある画像を表示させる。【解決手段】撮影モード選択処理を実行した後（Ｓ１０１）、アルバムモードが設定されたか否かを判断する（Ｓ１０２）。アルバムモードが設定されている場合には、アルバムモードで撮影を行って（Ｓ１０４）、アルバムモードでの撮影の終了が入力されると（Ｓ１０５）、直ちにＨＴＭＬファイルを作成する指示があった場合には（Ｓ１０５；ＹＥＳ）、アルバムモードで撮影して画像記録媒体に記憶されている画像のみでＨＴＭＬファイルを作成する（Ｓ１０７）。また、直ちにＨＴＭＬファイルを作成する指示がなかった場合には（Ｓ１０５；ＮＯ）、電源ＯＦＦ時に、アルバムモードで撮影して画像記録媒体に記憶されている画像のみでＨＴＭＬファイルを作成する（Ｓ１０８）。【選択図】　　　図３
2004023669.tif 000002
【特許請求の範囲】
【請求項１】
被写体を撮像して画像データとして記録する撮像装置であって、
アルバムファイルを作成するモードを設定するための作成モード設定手段と、
この作成モード設定手段により前記モードが設定されている状態において記録された前記画像データから、アルバムファイルを作成するファイル作成手段と、を備えることを特徴とする撮像装置。
【請求項２】
被写体を撮像して撮像信号を出力する撮像手段と、
複数の撮影モードを選択的に設定する撮影モード設定手段と、
この撮影モード設定手段により設定された撮影モードに応じて前記撮像信号を処理し画像データとして記録する記録手段と、
この記録手段に記録された前記画像データから前記撮影モード毎のアルバムファイルを作成するファイル作成手段と
を備えることを特徴とする撮像装置。
【請求項３】
前記アルバムファイルはＨＴＭＬファイルであり、
このＨＴＭＬファイルにユーザの意思を反映させ得る要素を設定するユーザ設定手段を更に備え、
前記ファイル作成手段は、前記ユーザ設定手段より設定された前記要素に応じたＨＴＭＬファイルを作成することを特徴とする請求項１又は２記載の撮像装置。
【請求項４】
被写体を撮像して撮像信号を出力する撮像手段と、
操作に応じて複数の撮影モードを選択的に設定するモード設定手段と、
このモード設定手段により設定された撮影モードに応じて前記撮像信号を処理し画像データとして記録する記録手段と、
アルバムファイルにユーザの意思を反映させるための要素を設定するユーザ設定手段と、
前記記録手段に記録された前記画像データから、前記ユーザ設定手段より設定された前記要素に応じたアルバムファイルを作成するファイル作成手段と
を備えることを特徴とする撮像装置。
【請求項５】
前記記録手段に記録された画像データから、前記アルバムファイルに関連付ける専用の縮小画像を作成する縮小画像作成手段を更に備えたことを特徴とする請求項４記載の撮像装置。
【請求項６】
前記ユーザ設定手段は、前記アルバムファイルの作成対象となる画像データを前記記録手段から任意に選択し得るものであることを特徴とする請求項４又は５記載の撮像装置。
【請求項７】
前記ユーザ設定手段は、前記アルバムファイルにおける画像のレイアウトを設定し得るものであることを特徴とする請求項４、５又は６記載の撮像装置。
【請求項８】
前記ユーザ設定手段は、前記アルバムファイルにおける背景色を設定し得るものであることを特徴とする請求項４から７にいずれか記載の撮像装置。
【請求項９】
前記作成されたアルバムファイルを自動的に立ち上げるためのコンピュータに対する命令ファイルを作成する命令ファイル作成手段を更に備えたことを特徴とする請求項４から８にいずれか記載の撮像装置。
【請求項１０】
前記ファイル作成手段は、前記記録手段に記録された前記画像データから前記撮影モード毎のアルバムファイルを作成することを特徴とする請求項４から９にいずれか記載の撮像装置。
【請求項１１】
被写体を撮像して画像データとして記録する撮像装置におけるアルバムファイル作成方法であって、
アルバムファイルを作成するモードを設定するための作成モード設定工程と、
この作成モード設定工程により前記モードが設定されている状態において記録された前記画像データから、アルバムファイルを作成するファイル作成工程と、を含むことを特徴とする撮像装置におけるアルバムファイル作成方法。
【請求項１２】
被写体を撮像して撮像信号を出力する撮像工程と、
複数の撮影モードを選択的に設定する撮影モード設定工程と、
この撮影モード設定工程により設定された撮影モードに応じて前記撮像信号を処理し画像データとして記録する記録工程と、
この記録工程で記録された前記画像データから前記撮影モード毎のアルバムファイルを作成するファイル作成工程と
を含むことを特徴とする撮像装置におけるアルバムファイル作成方法。
【請求項１３】
被写体を撮像して撮像信号を出力する撮像工程と、
操作に応じて複数の撮影モードを選択的に設定するモード設定工程と、
このモード設定工程により設定された撮影モードに応じて前記撮像信号を処理し画像データとして記録する記録工程と、
アルバムファイルにユーザの意思を反映させるための要素を設定するユーザ設定工程と、
前記記録工程に記録された前記画像データから、前記ユーザ設定工程より設定された前記要素に応じたアルバムファイルを作成するファイル作成工程と
を含むことを特徴とする撮像装置アルバムファイル作成方法。
【請求項１４】
被写体を撮像して画像データとして記憶する撮像装置が有するコンピュータに処理を実行させるアルバムファイル作成プログラムであって、
アルバムファイルを作成するためのモードを設定する作成モード設定手順と、
この作成モード設定手順により前記モードが設定されている状態おいて記録された前記画像データから、アルバムファイルを作成するファイル作成手順と、
をコンピュータに実行させることを特徴とするアルバムファイル作成プログラム。
【請求項１５】
被写体を撮像して画像データとして記憶する撮像装置が有するコンピュータに処理を実行させるアルバムファイル作成プログラムであって、
複数の撮影モードを選択的に設定する撮影モード設定手順と、
この撮影モード設定手順により設定された撮影モードに応じて前記被写体の撮像信号を処理し画像データとして記録させる記録手順と、
この記録手順で記録された前記画像データから前記撮影モード毎のアルバムファイルを作成するファイル作成手順と
をコンピュータに実行させることを特徴とするアルバムファイル作成プログラム。
【請求項１６】
被写体を撮像して画像データとして記憶する撮像装置が有するコンピュータに処理を実行させるアルバムファイル作成プログラムであって、
操作に応じて複数の撮影モードを選択的に設定するモード設定手順と、
このモード設定手順により設定された撮影モードに応じて前記被写体の撮像信号を処理し画像データとして記録させる記録手順と、
アルバムファイルにユーザの意思を反映させるための要素を設定するユーザ設定手順と、
前記記録手順に記録された前記画像データから、前記ユーザ設定手順より設定された前記要素に応じたアルバムファイルを作成するファイル作成手順と
をコンピュータに実行させることを特徴とするアルバムファイル作成プログラム。
【発明の詳細な説明】
【０００１】
【発明の属する技術分野】
【０００２】
本発明は、撮影した画像を用いてＨＴＭＬ（ＨｙｐｅｒＴｅｘｔ　Ｍａｒｋｕｐ　Ｌａｎｇｕａｇｅ）ファイル等を作成する機能を備えた撮像装置、撮像装置におけるアルバムファイル作成方法及びアルバムファイル作成プログラムに関する。
【０００３】
【従来の技術】
【０００４】
従来、撮影した画像を用途別にフォルダに分けて記録する機能を備えた電子カメラが提案され（特開２００１−１６９２２２）、あるいは撮影した全画像を一覧表示するためにＨＴＭＬファイルを作成する機能を備えた電子カメラが出現するに至っている。
【０００５】
ＨＴＭＬファイルを作成する機能を備えた電子カメラにあっては、撮影した既存の画像（プレビュー画像、本画像（撮影された画像））からＨＴＭＬファイルを作成する。したがって、ＨＴＭＬファイルで一覧表示される画像はプレビュー画像であり、画像が選択されて拡大表示するリンク先は本画像である。また、ＨＴＭＬファイルのタイプをユーザが選択することもでき、撮影時の情報表示やスライドショー機能を付加するか否か等によって異なる複数のタイプ（例えばタイプ１〜タイプ４）がメニュー画面上に表示され、これをユーザが選択することにより、選択されたタイプでＨＴＭＬファイルが作成される。
【０００６】
【発明が解決しようとする課題】
【０００７】
しかしながら、従来のＨＴＭＬファイルを作成する機能を備えた電子カメラにあっては、当該作成機能がオンにされていると、ユーザが撮影した画像の全てからＨＴＭＬファイルを作成する。したがって、ユーザが所望する画像のみからなるＨＴＭＬファイルを作成することができないばかりでなく、ファイルのデータ量が不必要に膨大となり、保存や転送等のファイルの取り扱いに支障が生じてしまう。
また、ユーザの意思をＨＴＭＬファイルに反映させ得る範囲もファイルのタイプを選択できる程度であって、ユーザの意思を反映させた画像を有するＨＴＭＬファイルを作成することができない。
【０００８】
さらに、ＨＴＭＬファイル作成時にリンク先となる画像は、撮影された本画像である。したがって、作成されたＨＴＭＬファイルをパソコン上で見る場合、リンク先の本画像のデータ量が大きいと処理負荷も大きくなり処理速度が低下して表示されるまでに時間を要してしまう。無論プレビュー画像のみを見るのであれば処理速度上の支障は生じないが、画像が小さく不鮮明であって画像を観賞しようとする者に満足感を与えることはできない。
【０００９】
本発明は、かかる従来の課題に鑑みてなされたものであり、データ量を可及的に少なくしつつユーザの意思を反映させたアルバムファイルを作成し、あるいは観賞性のある画像を表示させることのできるアルバムファイルを作成する撮像装置、撮像装置におけるアルバムファイル作成方法及びアルバムファイル作成プログラムを提供することを目的とするものである。
【００１０】
【課題を解決するための手段】
【００１１】
前記課題を解決するために請求項１記載の発明は、被写体を撮像して画像データとして記録する撮像装置であって、アルバムファイルを作成するモードを設定するための作成モード設定手段と、この作成モード設定手段により前記モードが設定されている状態において記録された前記画像データから、アルバムファイルを作成するファイル作成手段とを備える。
【００１２】
したがって、ユーザが自らの意思で設定したアルバムファイルを作成するモードにおいて記録された画像データのみからなるアルバムファイル、つまりはユーザが所望する画像のみからなるアルバムファイルを作成することができる。これにより、アルバムファイルに含まれる画像にユーザの意思を反映させることができるとともに、ファイルのデータ量を可及的に小さくして、保存や転送等のファイルの取り扱いを容易にすることができる。
【００１３】
また、請求項２記載の発明は、被写体を撮像して撮像信号を出力する撮像手段と、複数の撮影モードを選択的に設定する撮影モード設定手段と、この撮影モード設定手段により設定された撮影モードに応じて前記撮像信号を処理し画像データとして記録する記録手段と、この記録手段に記録された前記画像データから前記撮影モード毎のアルバムファイルを作成するファイル作成手段とを備える。
【００１４】
したがって、ユーザが自らの意思で設定した撮影モード毎に当該撮影モードで記録された画像データのみからなるアルバムファイル、つまりはユーザが所望するモードで撮影された画像のみからなる複数のアルバムファイルを作成することができる。これにより、各アルバムファイルに含まれる画像にユーザの意思を反映させることができるとともに、撮影モード毎に作成されるアルバムファイルのデータ量は小さくなり、保存や転送等のファイルの取り扱いを容易にすることができる。
【００１５】
また、請求項３記載の発明は、前記アルバムファイルはＨＴＭＬファイルであり、このＨＴＭＬファイルにユーザの意思を反映させ得る要素を設定するユーザ設定手段を更に備え、前記ファイル作成手段は、前記ユーザ設定手段より設定された前記要素に応じたＨＴＭＬファイルを作成する。したがって、例えば前記要素として選択画像、レイアウト、背景色、リンク、オートランファイル等をユーザの意思を反映させたＨＴＭＬファイルを作成することができる。
【００１６】
また、請求項４記載の発明に係る撮像装置は、被写体を撮像して撮像信号を出力する撮像手段と、操作に応じて複数の撮影モードを選択的に設定するモード設定手段と、このモード設定手段により設定された撮影モードに応じて前記撮像信号を処理し画像データとして記録する記録手段と、アルバムファイルにユーザの意思を反映させるための要素を設定するユーザ設定手段と、前記記録手段に記録された前記画像データから、前記ユーザ設定手段より設定された前記要素に応じたアルバムファイルを作成するファイル作成手段とを備える。
【００１７】
したがって、ユーザが自らの意思で設定した撮影モードで記録された画像データであって、さらに例えば前記要素として選択画像、レイアウト、背景色、リンク、オートランファイル等のユーザの意思を反映させたアルバムファイルを作成することができる。これにより、アルバムファイルに含まれる画像にユーザの意思を充分に反映させることができる。
【００１８】
また、請求項５記載の発明は、前記記録手段に記録された画像データから、前記アルバムファイルに関連付ける専用の縮小画像を作成する縮小画像作成手段を更に備える。したがって、作成されたアルバムファイルをパソコン上で見る場合、リンク先の画像のデータ量を小さくして処理負荷も軽減し、処理速度を向上させて表示されるまでに時間を短縮化することができる。しかも、別途作成されたＨＴＭＬ用の縮小画像であるので、画像が鮮明となり画像を観賞しようとする者に満足感を与えることもできる。
【００１９】
また、請求項６記載の発明は、前記ユーザ設定手段は、前記アルバムファイルの作成対象となる画像データを前記記録手段から任意に選択し得るものである。したがって、ユーザが自らの意思で選択した画像データのみからなるアルバムファイル、つまりはユーザが所望する画像のみからなるアルバムファイルを作成することができる。これにより、アルバムファイルに含まれる画像にユーザの意思を反映させることができるとともに、ファイルのデータ量を可及的に小さくして、保存や転送等のファイルの取り扱いを容易にすることができる。
【００２０】
また、請求項７記載の発明は、前記ユーザ設定手段は、前記アルバムファイルにおける画像のレイアウトを設定し得るものである。したがって、作成されるアルバムファイルのレイアウトにユーザの意思を反映させることができる。
【００２１】
また、請求項８記載の発明は、前記ユーザ設定手段は、前記アルバムファイルにおける背景色を設定し得るものである。したがって、作成されるアルバムファイルの背景色にユーザの意思を反映させることができる。
【００２２】
また、請求項９記載の発明は、前記作成されたアルバムファイルを自動的に立ち上げるためのコンピュータに対する命令ファイルを作成する命令ファイル作成手段を更に備える。したがって、作成されたアルバムファイルをパソコン上で見る際、自動的にアルバムファイルを立ち上げて容易に画像を観賞することができる。
【００２３】
また、請求項１０記載の発明は、前記ファイル作成手段は、前記記録手段に記録された前記画像データから前記撮影モード毎のアルバムファイルを作成する。したがって、前記要素として選択画像、レイアウト、背景色、リンク、オートランファイル等をユーザの意思を反映させたアルバムファイルであって、かつユーザが自らの意思で設定した撮影モードで記録された画像データ毎のアルバムファイルを作成することができる。これにより、アルバムファイルに含まれる画像にユーザの意思を充分に反映させることができる。
【００２４】
また、請求項１１記載の発明は、被写体を撮像して画像データとして記録する撮像装置におけるアルバムファイル作成方法であって、アルバムファイルを作成するモードを設定するための作成モード設定工程と、この作成モード設定工程により前記モードが設定されている状態において記録された前記画像データから、アルバムファイルを作成するファイル作成工程とを含む。したがって、記載した工程に従って処理を実行することにより、請求項１記載の発明と同様の作用効果を奏する。
【００２５】
また、請求項１２記載の発明は、被写体を撮像して撮像信号を出力する撮像工程と、複数の撮影モードを選択的に設定する撮影モード設定工程と、この撮影モード設定工程により設定された撮影モードに応じて前記撮像信号を処理し画像データとして記録する記録工程と、この記録工程で記録された前記画像データから前記撮影モード毎のアルバムファイルを作成するファイル作成工程とを含む。したがって、記載した工程に従って処理を実行することにより、請求項２記載の発明と同様の作用効果を奏する。
【００２６】
また、請求項１３記載の発明は、被写体を撮像して撮像信号を出力する撮像工程と、操作に応じて複数の撮影モードを選択的に設定するモード設定工程と、このモード設定工程により設定された撮影モードに応じて前記撮像信号を処理し画像データとして記録する記録工程と、アルバムファイルにユーザの意思を反映させるための要素を設定するユーザ設定工程と、前記記録工程に記録された前記画像データから、前記ユーザ設定工程より設定された前記要素に応じたアルバムファイルを作成するファイル作成工程とを含む。したがって、記載した工程に従って処理を実行することにより、請求項４記載の発明と同様の作用効果を奏する。また、請求項１４記載の発明は、被写体を撮像して画像データとして記憶する撮像装置が有するコンピュータに処理を実行させるアルバムファイル作成プログラムであって、アルバムファイルを作成するためのモードを設定する作成モード設定手順と、この作成モード設定手順により前記モードが設定されている状態おいて記録された前記画像データから、アルバムファイルを作成するファイル作成手順と、コンピュータに実行させる。したがって、前記コンピュータがこのプログラムに従って処理を実行することにより、請求項１記載の発明と同様の作用効果を奏する。
【００２７】
また、請求項１５記載の発明は、被写体を撮像して画像データとして記憶する撮像装置が有するコンピュータに処理を実行させるアルバムファイル作成プログラムであって、複数の撮影モードを選択的に設定する撮影モード設定手順と、
【００２８】
この撮影モード設定手順により設定された撮影モードに応じて前記被写体の撮像信号を処理し画像データとして記録させる記録手順と、この記録手順で記録された前記画像データから前記撮影モード毎のアルバムファイルを作成するファイル作成手順とをコンピュータに実行させる。したがって、前記コンピュータがこのプログラムに従って処理を実行することにより、請求項２記載の発明と同様の作用効果を奏する。
【００２９】
また、請求項１６記載の発明は、被写体を撮像して画像データとして記憶する撮像装置が有するコンピュータに処理を実行させるアルバムファイル作成プログラムであって、操作に応じて複数の撮影モードを選択的に設定するモード設定手順と、このモード設定手順により設定された撮影モードに応じて前記被写体の撮像信号を処理し画像データとして記録させる記録手順と、アルバムファイルにユーザの意思を反映させるための要素を設定するユーザ設定手順と、前記記録手順に記録された前記画像データから、前記ユーザ設定手順より設定された前記要素に応じたアルバムファイルを作成するファイル作成手順とをコンピュータに実行させる。したがって、前記コンピュータがこのプログラムに従って処理を実行することにより、請求項４記載の発明と同様の作用効果を奏する。
【００３０】
【発明の実施の形態】
【００３１】
以下、本発明の実施の形態を図に従って説明する。
（第１の実施の形態）
図１は、各実施の形態に共通するデジタルカメラ１の外観構成を示す図である。このデジタルカメラ１は、直方体形状の本体２を有し、この本体２の前面には後述する光学レンズ８が配置されている。また、背面には液晶表示部３と光学ファインダ４、及び十字カーソルキー５が配置されている。さらに、上面にはシャッターキー６と各種メニューキー７が配設されている。
【００３２】
図２は、各実施の形態に共通するデジタルカメラ１の電気的な回路構成を示すブロック図である。このデジタルカメラは、前記本体２の前面に配置された光学レンズ８、この光学レンズ８により結像されるＣＣＤ等の撮像素子９と、撮像素子９を駆動するためのＴＧ１０と、撮像素子９から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路１１を有している。そして、被写体の像が光学レンズ８を介して撮像素子９上に結像され、撮像素子９は信号を出力する。この撮像素子９から出力された信号は、ユニット回路１１にて、サンプリング、増幅、デジタル化され、画像処理回路／ＣＰＵ１２に送られて、この画像処理回路／ＣＰＵ１２内で輝度に変換され、輝度の積分やヒストグラム処理が行われる。
【００３３】
前記光学レンズ８は、ＡＦモータ等を備えるレンズ駆動回路１３に保持されており、レンズ駆動回路１３が画像処理回路／ＣＰＵ１２の制御により駆動されることにより光軸方向に移動し、撮像素子９に結像される被写体像のフォーカスを調整する。また、ＡＥ制御時には、撮像素子９が、画像処理回路／ＣＰＵ１２から送られるシャッターパルスに基づきＴＧ１０によって駆動され、その電荷蓄積時間を制御される。これにより電子シャッターが実現される。
【００３４】
画像処理回路／ＣＰＵ１２は各部を制御するものであって、通常モード、風景モード、ポートレート（人物）モード、マクロモード、パノラマモード等の当該デジタルカメラ１において設定可能な撮影モードに応じた各種の信号処理及び画像処理機能を備えたものであり、ユニット回路１１を経てデジタル信号に変換された撮像信号からビデオ信号を生成し、撮像素子９によって撮像した被写体像をスルー画像としてＴＦＴ液晶モニター等からなる前記液晶表示部３に表示させる。また、撮像時には、前記モードに応じて信号処理及び画像処理した撮像信号を圧縮してＪＰＥＧフォーマットの画像ファイルを生成し、それをフラッシュメモリ等からなる着脱自在な画像記録媒体１４に記憶させ、再生時には圧縮した画像ファイルを伸張して液晶表示部３に表示させる。
【００３５】
さらに、画像処理回路／ＣＰＵ１２には、前記十字カーソルキー５、シャッターキー６、各種メニューキー７等からなる操作キー部１５、メモリー１６、及びＲＡＭ１７が接続されている。メモリー１６は、画像処理回路／ＣＰＵ１２による各部の制御及び各種データ処理に必要な動作プログラムが記録されたプログラムＲＯＭであり、後述するフローチャートに示す処理を実行するためのプログラムやデータ等が記憶されている。ＲＡＭ１７は、後述するようにＨＴＭＬファイルを作成する際等において、画像処理回路／ＣＰＵ１２のワーク用として使用される。
【００３６】
次に、以上の構成にかかるデジタルカメラ１の動作を図３に示すフローチャートに従って説明する。デジタルカメラ１は、画像処理回路／ＣＰＵ１２が前記プログラムに基づき動作することにより、図３に示すフローチャートに従って先ず撮影モード選択処理を実行する（ステップＳ１０１）。この撮影モード選択処理に際しては、各種メニューキー７の操作に応答して液晶表示部３に「通常モード」「風景モード」「ポートレート（人物）モード」「マクロモード」「パノラマモード」「アルバムモード」等の各種撮影モードメニューを表示し、十字カーソルキー５等の操作によりいずれが選択されたならば、当該選択された撮影モードを設定する。
【００３７】
次に、前記ステップＳ１０１での処理によりアルバムモードが設定されたか否かを判断する（ステップＳ１０２）。そして、アルバムモードが設定されておらず、他の撮影モードが設定されている場合には、設定されている各種撮影モードで撮影を行う（ステップＳ１０３）。つまり、シャッターキー６の操作に応答して前述のステップＳ１０１で設定されているモードに従って撮像信号を処理して圧縮し、ＪＰＥＧフォーマットの画像ファイルを生成し、それにファイル名を付して画像記録媒体１４に記憶させる。
【００３８】
一方、ステップＳ１０２での判断の結果、アルバムモードが設定されている場合には、アルバムモードで撮影を行って（ステップＳ１０４）、シャッターキー６の操作に応答して通常撮影と同様に撮像信号を圧縮し、ＪＰＥＧフォーマットの画像ファイルを生成し、それを画像記録媒体１４に記憶させる。そして、ユーザによる各種メニューキー７に対する所定の操作により、アルバムモードでの撮影の終了が入力されると（ステップＳ１０５）、直ちにＨＴＭＬファイルを作成するか否かを判断する（ステップＳ１０６）。
【００３９】
ユーザによる各種メニューキー７に対する所定の操作により、直ちにＨＴＭＬファイルを作成する指示があった場合には、前述のステップＳ１０４においてアルバムモードで撮影して画像記録媒体１４に記憶されている画像のみでＨＴＭＬファイルを作成し、画像記録媒体１４に記憶させる（ステップＳ１０７）。また、直ちにＨＴＭＬファイルを作成する指示がなかった場合には、電源ＯＦＦ時に、前述のステップＳ１０４においてアルバムモードで撮影して画像記録媒体１４に記憶されている画像のみでＨＴＭＬファイルを作成し、画像記録媒体１４に記憶させる（ステップＳ１０８）。
【００４０】
したがって、本実施の形態によれば、ユーザが自らの意思で設定したアルバムモードにおいて撮影された画像のみからなるＨＴＭＬファイル、つまりはユーザが所望する画像のみからなるＨＴＭＬファイルを作成することができる。これにより、ＨＴＭＬファイルに含まれる画像にユーザの意思を反映させることができるとともに、ファイルのデータ量を可及的に小さくして、保存や転送等のファイルの取り扱いを容易にすることができる。
【００４１】
（第２の実施の形態）
図４〜図１２は、本発明の第２の実施の形態を示すものである。すなわち、図４に示すフローチャートに従って前述した第１の実施の形態におけるステップＳ１０１と同様に撮影モード選択処理を実行し（ステップＳ２０１）、アルバムモードが設定されたか否かを判断する（ステップＳ２０２）。アルバムモードが設定されておらず、他の撮影モードが設定されている場合には、設定されている各種撮影モードで撮影を行う（ステップＳ２０３）。
【００４２】
一方、ステップＳ２０２での判断の結果、アルバムモードが設定されている場合には、アルバムモードで撮影を行って（ステップＳ２０４）、シャッターキー６の操作に応答して撮像信号を圧縮し、ＪＰＥＧフォーマットの画像ファイルを生成し、それを画像記録媒体１４に記憶させる。そして、ユーザによる各種メニューキー７に対する所定の操作により、アルバムモードでの撮影が終了が入力されると（ステップＳ２０５）、ＨＴＭＬ各種設定処理を実行する（ステップＳ２０６）。
【００４３】
このステップＳ２０６におけるＨＴＭＬ各種設定処理は、図５に示すフローチャートに従って実行される。すなわち、先ず液晶表示部３にＨＴＭＬ作成の各種設定メニューを表示させる（ステップＳ３０１）。このステップＳ３０１での処理により、液晶表示部３には図６に示すように、「画像選択」「レイアウト」「背景色」「リンク」「オートランファイル」の選択肢からなるメニュー画面３０１が表示される。次に、このメニュー画面３０１から所定のキー操作により「画面選択」が選択されたか否かを判断し（ステップＳ３０２）、選択された場合にはＨＴＭＬファイルを作成したい画像を選択する処理を実行する（ステップＳ３０３）。
【００４４】
このステップＳ３０３の処理に際しては、図７に示すように、前述のステップＳ２０４にてアルバムモードで撮影を行って画像記録媒体１４に記録した画像Ｐ１、Ｐ２・・・を液晶表示部３に縮小表示させる。そして、この縮小表示させた画像Ｐ１、Ｐ２・・・から、所定のキー操作により任意の数の画像が選択されたならば、選択された画像のファイル名をＲＡＭ１７に記憶する。
【００４５】
また、ステップＳ３０４では、前記メニュー画面３０１からＨＴＭＬファイルを作成する際の「レイアウト」が選択されたか否かを判断し、選択された場合にはレイアウトを選択する処理を実行する（ステップＳ３０５）。このステップＳ３０５の処理に際しては、図８に示すように、複数種のレイアウトパターンＬ１、Ｌ２、Ｌ３、Ｌ４・・・を液晶表示部３に表示させる。そして、この表示させたレイアウトパターンＬ１、Ｌ２、Ｌ３、Ｌ４・・・から、所定のキー操作によりいずれかのレイアウトパターンが選択されたならば、選択されたレイアウトパターンをＲＡＭ１７に記憶する。
【００４６】
また、ステップＳ３０６では、前記メニュー画面３０１から「背景色」が選択されたか否かを判断し、選択された場合には色を選択する処理を実行する（ステップＳ３０７）。このステップＳ３０７の処理に際しては、図９に示すように、複数種の異なる色Ｃ１、Ｃ２、Ｃ３・・・を液晶表示部３に表示させる。そして、この表示させた色Ｃ１、Ｃ２、Ｃ３・・・から、所定のキー操作によりいずれかの色が選択されたならば、選択された色をＲＡＭ１７に記憶する。
【００４７】
また、ステップＳ３０８では、本画像へのリンクを確立するか否かを判断する。このステップＳ３０８での判断に際しては、前記メニュー画面３０１から「リンク」が選択されならば、図１０に示すように、「ＯＮ」「ＯＦＦ」を液晶表示部３に表示させる。そして、所定のキー操作により「ＯＮ」が選択された場合には、本画像（前述のステップＳ２０４にてアルバムモードで撮影を行って画像記録媒体１４に記録した画像）へのリンクが選択されたものと判断し（ステップＳ３０８；ＹＥＳ）、本画像へリンクさせることをＲＡＭ１７に書き込む（ステップＳ３１０）。しかし、「ＯＦＦ」が選択された場合には、縮小画像へのリンクが選択されたものと判断し（ステップＳ３０８；ＮＯ）、ＨＴＭＬ用の縮小画像作成の処理を実行する（ステップＳ３０９）。
このステップＳ３０９の処理は、図１１に示すフローチャートに従って実行され、ＨＴＭＬ用の縮小画像へリンクが設定されているか否かを判断し（ステップＳ４０２）、前述のように「ＯＦＦ」が選択されてＨＴＭＬ用の縮小画像へリンクが設定されているので、ＨＴＭＬ作成の対象となっている本画像からＨＴＭＬ用に縮小画像を作成し、画像記録媒体１４に記憶させる（ステップＳ４０３）。そして、縮小画像へリンクさせることをＲＡＭ１７に書き込む（ステップＳ４０４）。
【００４８】
また、図５のフローチャートにおけるステップＳ３１１では、オートランファイルを作成するか否かを判断する。オートランファイルとは、例えばパソコンと接続すると自動的に起動し、ＨＴＭＬファイルが立ち上がるようなプログラムファイルのことである。このステップＳ３１１での判断に際しても、前記メニュー画面３０１から「オートランファイル」が選択されならば、図１０に示したように、「ＯＮ」「ＯＦＦ」を液晶表示部３に表示させる。そして、所定のキー操作により「ＯＮ」が選択された場合には、オートランファイルを作成するものと判断して、オートランファイル作成処理を実行する（ステップＳ３１２）。
【００４９】
このステップＳ３１２のオートランファイル作成処理は、図１２に示すフローチャートに従って実行され、オートランファイルを作成するか否かを判断し（ステップＳ５０２）、前述のように「ＯＮ」が選択されてオートランファイルを作成が設定されているので、オートランファイル作成して、画像記録媒体１４に記憶させる（ステップＳ５０３）。
【００５０】
そして、図５のフローチャートにおけるステップＳ３１３では、設定の終了操作がなされた否かを判断し、設定終了操作がなされるまでステップＳ３０１からの処理を繰り返し、設定終了操作がなされた時点でこのフローに従った処理を終了する。
【００５１】
このようにして、ＨＴＭＬ各種設定がなされたならば、図４のフローチャートにおいてステップＳ２０６に続くステップＳ２０７で、直ちにＨＴＭＬファイルを作成するか否かを判断する（ステップＳ２０７）。
【００５２】
そして、ユーザによる各種メニューキー７に対する所定の操作により、直ちにＨＴＭＬファイルを作成する指示があった場合には、前述のステップＳ２０４においてアルバムモードで撮影して画像記録媒体１４に記憶されている画像のみ、あるいはアルバムモードで撮影されて前記ステップＳ３０２で選択された画像のみで、ステップＳ２０６での設定（図５、１１、１２のフローでの設定）に従いＨＴＭＬファイルを作成し、画像記録媒体１４に記憶させる（ステップＳ２０８）。また、直ちにＨＴＭＬファイルを作成する指示がなかった場合には、電源ＯＦＦ時において、同様にステップＳ２０４においてアルバムモードで撮影して画像記録媒体１４に記憶されている画像のみ、あるいはアルバムモードで撮影されて選択された画像のみで、ステップＳ２０６での設定に従いＨＴＭＬファイルを作成し、画像記録媒体１４に記憶させる（ステップＳ２０９）。
【００５３】
したがって、本実施の形態によれば、選択画像、レイアウト、背景色、リンク、オートランファイルとしてユーザの意思を反映させたＨＴＭＬファイルを作成することができる。また、ＨＴＭＬファイル作成時にリンク先となる画像は、ＨＴＭＬ用の縮小画像ともなるので、作成されたＨＴＭＬファイルをパソコン上で見る場合、リンク先の画像のデータ量を小さくして処理負荷も軽減し、処理速度を向上させて表示されるまでに時間を短縮化することができる。しかも、別途作成されたＨＴＭＬ用の縮小画像であるので、画像が鮮明となり画像を観賞しようとする者に満足感を与えることもできる。
【００５４】
また、上記第１及び第２の実施の形態では撮影モード（「通常モード」「風景モード」「ポートレート（人物）モード」「マクロモード」「パノラマモード」「アルバムモード」等）の中にアルバムモードを設けるようにしたが、撮影モードにはアルバムモードを設けず、別メニューとしてアルバムモードを設ける。
【００５５】
すなわち、各種撮影モードにおいてアルバムモードを設定できるようにしてもよい。例えば、「風景モード」が選択されたとすると、選択した後にアルバムモードの設定をされたか否かを判断し（ステップＳ１０２及びＳ２０２）以降の図３及び図４のフローチャートの処理を行う。以上のようにそれぞれの撮影モードにおいてアルバムモードを設定するか否かが行える。
【００５６】
さらに、アルバムモードを設定することを最初に行ってもよい。つまり、アルバムモードの設定をされたか否かの判断（ステップＳ１０２及びＳ２０２）の後に、撮影モードの選択（ステップＳ１０１及びＳ２０１）を行うようにしてもよい。その後、ステップＳ１０４及びＳ２０４以降の処理は同じである。
【００５７】
以上のようにアルバムモードを各種撮影モードにおいて設定できるようにしたので、さらに細かくユーザが所望する画像のみからなるＨＴＭＬファイルを作成することができる。
【００５８】
（第３の実施の形態）
図１３は、本発明の第３の実施の形態を示すフローチャートである。先ず撮影モード選択処理を実行する（ステップＳ６０１）。この撮影モード選択処理に際しては、各種メニューキー７の操作に応答して液晶表示部３に「通常モード」「風景モード」「ポートレート（人物）モード」「マクロモード」「パノラマモード」等の各種撮影モードメニューを表示し、十字カーソルキー５等の操作によりいずれが選択されたならば、当該選択された撮影モードを設定する。次に、設定されている各種撮影モードで撮影を行う（ステップＳ６０２）。つまり、シャッターキー６の操作に応答して前述のステップＳ６０１で設定されているモードに従って撮像信号を処理して圧縮し、ＪＰＥＧフォーマットの画像ファイルを生成し、それにファイル名を付して画像記録媒体１４に記憶させる。したがって、シャッターキー６の操作なされる毎に、画像記録媒体１４にはその時点で設定されている撮影モードで撮影された画像の画像ファイルが記憶されていく。
【００５９】
そして、ユーザが任意の撮影モードに設定しあるいは設定変更して複数枚の画像を撮影した後、任意の時点で各種メニューキー７に対する所定のキー操作によりアルバム作成を指示すると、ステップＳ６０３の判断がＹＥＳとなる。したがって、ステップＳ６０４に進み、直ちにＨＴＭＬファイルを作成するか否かを判断する。
【００６０】
ユーザによる各種メニューキー７に対する所定の操作により、直ちにＨＴＭＬファイルを作成する指示があった場合（ステップＳ６０４でＹＥＳ）には、前述のステップＳ６０２においてそれぞれの撮影モードで撮影して画像記録媒体１４に記憶されている画像で撮影モード毎にＨＴＭＬファイルを作成し、画像記録媒体１４に記憶させる（ステップＳ６０５）。また、直ちにＨＴＭＬファイルを作成する指示がなかった場合（ステップＳ６０４でＮＯ）には、電源ＯＦＦ時に、前述のステップＳ６０２においてそれぞれの撮影モードで撮影して画像記録媒体１４に記憶されている画像で撮影モード毎にＨＴＭＬファイルを作成し、画像記録媒体１４に記憶させる（ステップＳ６０６）。
【００６１】
したがって、本実施の形態によれば、ユーザが自らの意思で設定した撮影モード毎に当該撮影モードで撮影された画像のみからなるＨＴＭＬファイル、つまりはユーザが所望するモードで撮影された画像のみからなる複数のＨＴＭＬファイルを作成することができる。これにより、ＨＴＭＬファイルに含まれる画像にユーザの意思を反映させることができるとともに、ファイルのデータ量を可及的に小さくして、保存や転送等のファイルの取り扱いを容易にすることができる。
【００６２】
（第４の実施の形態）
図１４は、本発明の第４の実施の形態を示すフローチャートである。先ず撮影モード選択処理を実行する（ステップＳ７０１）。この撮影モード選択処理に際しては、各種メニューキー７の操作に応答して液晶表示部３に「通常モード」「風景モード」「ポートレート（人物）モード」「マクロモード」「パノラマモード」等の各種撮影モードメニューを表示し、十字カーソルキー５等の操作によりいずれが選択されたならば、当該選択された撮影モードを設定する。次に、設定されている各種撮影モードで撮影を行う（ステップＳ７０２）。つまり、シャッターキー６の操作に応答して前述のステップＳ７０１で設定されているモードに従って撮像信号を処理して圧縮し、ＪＰＥＧフォーマットの画像ファイルを生成し、それにファイル名を付して画像記録媒体１４に記憶させる。したがって、シャッターキー６の操作なされる毎に、画像記録媒体１４にはその時点で設定されている撮影モードで撮影された画像の画像ファイルが記憶されていく。
【００６３】
そして、ユーザが任意の撮影モードに設定あるいは設定変更して複数枚の画像を撮影した後、任意の時点で各種メニューキー７に対する所定のキー操作によりアルバム作成を指示すると、ステップＳ７０３の判断がＹＥＳとなる。したがって、ステップＳ７０４に進み、ＨＴＭＬ各種設定処理を実行する。
【００６４】
このステップＳ７０４の処理は、前述した図４のフローチャートにおけるステップＳ２０６と同一の処理である。すなわち、このステップＳ７０４は、前述した図５に示すフローチャートに従って実行され、図５のフローチャートにおけるステップＳ３０９の処理は図１１に示した前述のフローチャートに従って実行され、ステップＳ３１２の処理は図１２に示した前述のフローチャートに従って実行される。
【００６５】
そして、ステップＳ７０４のＨＴＭＬ各種設定処理が終了したならば、直ちにＨＴＭＬファイルを作成するか否かを判断する（ステップＳ７０５）。ユーザによる各種メニューキー７に対する所定の操作により、直ちにＨＴＭＬファイルを作成する指示があった場合（ステップＳ７０５でＹＥＳ）には、前述のステップＳ７０２においてそれぞれの撮影モードで撮影して画像記録媒体１４に記憶されている画像で撮影モード毎に、かつ前記ステップＳ７０４での設定に従いＨＴＭＬファイルを作成し、画像記録媒体１４に記憶させる（ステップＳ７０６）。また、直ちにＨＴＭＬファイルを作成する指示がなかった場合（ステップＳ７０５でＮＯ）には、電源ＯＦＦ時に、前述のステップＳ７０２においてそれぞれの撮影モードで撮影して画像記録媒体１４に記憶されている画像で撮影モード毎に、かつ前記ステップＳ７０４での設定に従いＨＴＭＬファイルを作成し、画像記録媒体１４に記憶させる（ステップＳ７０７）
【００６６】
したがって、本実施の形態によれば、選択画像、レイアウト、背景色、リンク、オートランファイルとしてユーザの意思を反映させ、かつユーザが自らの意思で設定した撮影モード毎に当該撮影モードで撮影された画像のみからなるＨＴＭＬファイルを作成することができる。また、ＨＴＭＬファイル作成時にリンク先となる画像は、ＨＴＭＬ用の縮小画像ともなるので、作成されたＨＴＭＬファイルをパソコン上で見る場合、リンク先の画像のデータ量を小さくして処理負荷も軽減し、処理速度を向上させて表示されるまでに時間を短縮化することができる。しかも、別途作成されたＨＴＭＬ用の縮小画像であるので、画像が鮮明となり画像を観賞しようとする者に満足感を与えることもできる。
【００６７】
（第５の実施の形態）
図１５は、本発明の第５の実施の形態を示すフローチャートである。先ず撮影モード選択処理を実行する（ステップＳ８０１）。この撮影モード選択処理に際しては、各種メニューキー７の操作に応答して液晶表示部３に「通常モード」「風景モード」「ポートレート（人物）モード」「マクロモード」「パノラマモード」等の各種撮影モードメニューを表示し、十字カーソルキー５等の操作によりいずれが選択されたならば、当該選択された撮影モードを設定する。次に、設定されている各種撮影モードで撮影を行う（ステップＳ８０２）。つまり、シャッターキー６の操作に応答して前述のステップＳ８０１で設定されているモードに従って撮像信号を処理して圧縮し、ＪＰＥＧフォーマットの画像ファイルを生成し、それにファイル名を付して画像記録媒体１４に記憶させる。したがって、シャッターキー６の操作なされる毎に、画像記録媒体１４にはその時点で設定されている撮影モードで撮影された画像の画像ファイルが記憶されていく。
【００６８】
そして、ユーザが任意の撮影モードに設定あるいは設定変更して複数枚の画像を撮影した後、任意の時点で各種メニューキー７に対する所定のキー操作によりＨＴＭＬの設定を指示すると、ステップＳ８０３の判断がＹＥＳとなる。したがって、ステップＳ８０４に進み、ＨＴＭＬ各種設定処理を実行する。
【００６９】
このステップＳ８０４の処理は、前述した図４のフローチャートにおけるステップＳ２０６と同一の処理である。すなわち、このステップＳ８０４は、前述した図５に示すフローチャートに従って実行され、図５のフローチャートにおけるステップＳ３０９の処理は図１１に示した前述のフローチャートに従って実行され、ステップＳ３１２の処理は図１２に示した前述のフローチャートに従って実行される。
【００７０】
そして、ステップＳ８０４のＨＴＭＬ各種設定処理が終了したならば、直ちにＨＴＭＬファイルを作成するか否かを判断する（ステップＳ８０５）。ユーザによる各種メニューキー７に対する所定の操作により、直ちにＨＴＭＬファイルを作成する指示があった場合には、前述のステップＳ８０２においてそれぞれの撮影モードで撮影して画像記録媒体１４に記憶されているすべての画像に対して、前記ステップＳ８０４での設定に従いＨＴＭＬファイルを作成し、画像記録媒体１４に記憶させる（ステップＳ８０６）。また、直ちにＨＴＭＬファイルを作成する指示がなかった場合には、電源ＯＦＦ時に、前述のステップＳ８０２においてそれぞれの撮影モードで撮影して画像記録媒体１４に記憶されているすべての画像に対して、前記ステップＳ８０４での設定に従いＨＴＭＬファイルを作成し、画像記録媒体１４に記憶させる（ステップＳ８０７）。
【００７１】
したがって、本実施の形態によれば、選択画像、レイアウト、背景色、リンク、オートランファイルとしてユーザの意思を反映させたＨＴＭＬファイルを作成することができる。また、ＨＴＭＬファイル作成時にリンク先となる画像は、ＨＴＭＬ用の縮小画像ともなるので、作成されたＨＴＭＬファイルをパソコン上で見る場合、リンク先の画像のデータ量を小さくして処理負荷も軽減し、処理速度を向上させて表示されるまでに時間を短縮化することができる。しかも、別途作成されたＨＴＭＬ用の縮小画像であるので、画像が鮮明となり画像を観賞しようとする者に満足感を与えることもできる。
【００７２】
なお、各実施の形態においては撮像装置としてデジタルカメラ１を用いる場合を示したが、カメラ付き携帯電話やカメラ付きＰＤＡに本発明を適用するようにしてもよい。
また、各実施の形態においては、特許請求の範囲記載のアルバムファイルとしてＨＴＭＬファイルを用いるようにしたが、画像とリンクさせることのできるファイル形式、あるいは画像そのものを有するファイル形式等、ＨＴＭＬファイル以外の他のファイル形式を用いるようにしたもよい。また、リンク先の画像も別途作成した画像であってもよいし、本画像であってもよい。
【００７３】
【発明の効果】
【００７４】
以上説明したように請求項１、請求項１１及び請求項１４に係る発明によれば、ユーザが自らの意思で設定した撮影モード毎に当該撮影モードで記録された画像データのみからなるアルバムファイル、つまりはユーザが所望するモードで撮影された画像のみからなる複数のアルバムファイルを作成することができる。これにより、アルバムファイルに含まれる画像にユーザの意思を反映させることができるとともに、撮影モード毎に作成されるアルバムファイルのデータ量は小さくなり、保存や転送等のファイルの取り扱いを容易にすることができる。
【００７５】
また、請求項２、請求項１２及び請求項１５に係る発明によれば、ユーザが自らの意思で設定した撮影モード毎に当該撮影モードで記録された画像データのみからなるアルバムファイル、つまりはユーザが所望するモードで撮影された画像のみからなる複数のアルバムファイルを作成することができる。これにより、各アルバムファイルに含まれる画像にユーザの意思を反映させることができるとともに、撮影モード毎に作成されるアルバムファイルのデータ量は小さくなり、保存や転送等のファイルの取り扱いを容易にすることができる。
【００７６】
また、請求項４、請求項１３及び請求項１６に係る発明によれば、ユーザが自らの意思で設定した撮影モードで記録された画像データであって、さらに例えば選択画像、レイアウト、背景色、リンク、オートランファイル等のユーザの意思を反映させたアルバムファイルを作成することができる。これにより、アルバムファイルに含まれる画像にユーザの意思を充分に反映させることができる。
【００７７】
また、請求項５に係る発明によれば、作成されたアルバムファイルをパソコン上で見る場合、リンク先の画像のデータ量を小さくして処理負荷も軽減し、処理速度を向上させて表示されるまでに時間を短縮化することができる。しかも、別途作成されたアルバムファイル用の縮小画像であるので、画像が鮮明となり画像を観賞しようとする者に満足感を与えることもできる。
【００７８】
また、請求項６から請求項８に係る発明によれば、アルバムファイルに含まれる画像、画像のレイアウト、背景色にユーザの意思を反映させることができる。
【図面の簡単な説明】
【図１】本発明の各実施の形態に共通するデジタルカメラの外観構成を示す斜視図である。
【図２】本発明の各実施の形態に共通するデジタルカメラの回路構成を示すブロック図である。
【図３】本発明の第１の実施の形態における処理手順を示すフローチャートである。
【図４】本発明の第２の実施の形態における処理手順を示すフローチャートである。
【図５】ＨＴＭＬ各種設定処理の詳細を示すフローチャートである。
【図６】メニュー画面の表示例を示す図である。
【図７】ステップＳ３０３の処理時における表示画面例を示す図である。
【図８】ステップＳ３０５の処理時における表示画面例を示す図である。
【図９】ステップＳ３０７の処理時における表示画面例を示す図である。
【図１０】ステップＳ３０８及びステップＳ３１１の処理時における表示画面例を示す図である。
【図１１】ステップＳ３０９のＨＴＭＬ用縮小画像作成処理の詳細を示すフローチャートである。
【図１２】ステップＳ３１２のオートランファイル作成処理の詳細を示すフローチャートである。
【図１３】本発明の第３の実施の形態における処理手順を示すフローチャートである。
【図１４】本発明の第４の実施の形態における処理手順を示すフローチャートである。
【図１５】本発明の第５の実施の形態における処理手順を示すフローチャートである。
【符号の説明】
１　　デジタルカメラ
２　　本体
３　　液晶表示部
４　　光学ファインダ
６　　シャッターキー
９　　撮像素子
１０　　ＴＧ
１１　　ユニット回路
１２　　画像処理回路／ＣＰＵ
１３　　レンズ駆動回路
１４　　画像記録媒体
１５　　操作キー部
１６　　メモリー
１７　　ＲＡＭ
３０１　　メニュー画面
【図１】
2004023669.tif 000003
【図２】
2004023669.tif 000004
【図３】
2004023669.tif 000005
【図４】
2004023669.tif 000006
【図５】
2004023669.tif 000007
【図６】
2004023669.tif 000008
【図７】
2004023669.tif 000009
【図８】
2004023669.tif 000010
【図９】
2004023669.tif 000011
【図１０】
2004023669.tif 000012
【図１１】
2004023669.tif 000013
【図１２】
2004023669.tif 000014
【図１３】
2004023669.tif 000015
【図１４】
2004023669.tif 000016
【図１５】
2004023669.tif 000017